(57)【特許請求の範囲】
【請求項１】
一つ以上の電池により構成される電池モジュールを冷却媒体が流れる冷却媒体流路と共に複数配列してなる集電池であって、
前記配列している電池モジュールの一側面に沿って形成され、前記冷却媒体を前記配列している各冷却媒体流路に供給する冷却媒体供給流路と、
該冷却媒体供給流路における前記冷却媒体の流れの少なくとも上流側の一部に設けられ、該冷却媒体を前記冷却媒体流路に取り込む複数のフィンとを備え、
前記フィンは、前記冷却媒体供給流路へ延出して形成されたことを特徴とする集電池。
【請求項２】
前記フィンは、前記冷却媒体供給流路における前記冷却媒体の流れの上流側ほど大きく形成されてなる請求項１記載の集電池。
【請求項３】
請求項１または２記載の集電池であって、
前記冷却媒体供給流路に配置され、前記配列している各冷却媒体流路に前記冷却媒体を分配する孔が複数形成された分配板を備え、
前記フィンは、前記分配板に形成された孔の前記冷却媒体の流れの下流側に設けられてなる
集電池。
【請求項４】
前記分配板に形成された孔は、前記冷却媒体の流れの上流側ほど大きく形成されてなる請求項３記載の集電池。
【請求項５】
前記フィンは前記電池モジュールに形成されてなる請求項１または２記載の集電池。
【発明の詳細な説明】
【０００１】
【発明の属する技術分野】
本発明は、集電池に関し、詳しくは、一つ以上の電池により構成される電池モジュールを冷却媒体が流れる冷却媒体流路と共に複数配列してなる集電池に関する。
【０００２】
【従来の技術】
従来、この種の集電池としては、冷却風の流路としての隙間をもって複数のバッテリを並べたものの一側面に冷却風の流路に冷却風を供給する冷却風通路を設け、この冷却風通路の冷却風の流路の入り口近くに上流ほど大きな複数の孔を形成した分配板を設置したものが提案されている（例えば、特公平６−５４６８９号公報など）。この集電池では、冷却風通路の上流側に位置する流路より下流に位置する流路の方が冷却風が流れやすいことから、冷却風の流路の入り口近くに上流ほど大きな孔が形成された分配板を設置して冷却風の流路の位置が上流側であるか下流側であるかに拘わらずほぼ同量の冷却風が流れるようにしている。
【０００３】
【発明が解決しようとする課題】
しかしながら、こうした集電池では、分配板は、孔が形成されているものの冷却風の通路を塞ぐものであるから、冷却風の通過抵抗が大きくなり、所望の冷却効果を得ようとすると冷却ファンの消費電力が増大するという問題があった。冷却風の通過抵抗を小さくするためには孔を大きくすればよいが、それでは上流側に位置する冷却風の流路へ流れる冷却風と下流側に位置する冷却風の流路へ流れる冷却風とをほぼ同量とすることができず、集電池を均等に冷却することができなくなってしまう。
【０００４】
本発明の集電池は、冷却媒体の通過抵抗を増大させることなく上流側に位置する冷却媒体流路へも下流側に位置する冷却媒体流路へもほぼ均等に冷却媒体を流して集電池を均等に冷却することを目的とする。
【０００５】
【課題を解決するための手段およびその作用・効果】
本発明の集電池は、上述の目的の少なくとも一部を達成するために以下の手段を採った。
【０００６】
本発明の集電池は、
一つ以上の電池により構成される電池モジュールを冷却媒体が流れる冷却媒体流路と共に複数配列してなる集電池であって、
前記配列している電池モジュールの一側面に沿って形成され、前記冷却媒体を前記配列している各冷却媒体流路に供給する冷却媒体供給流路と、
該冷却媒体供給流路における前記冷却媒体の流れの少なくとも上流側の一部に設けられ、該冷却媒体を前記冷却媒体流路に取り込む複数のフィンとを備え、前記フィンは、前記冷却媒体供給流路へ延出して形成されたことを要旨とする。
【０００７】
この本発明の集電池では、冷却媒体供給流路における冷却媒体の流れの少なくとも上流側の一部に設けられた複数のフィンが冷却媒体を冷却媒体流路に取り込むから、冷却媒体の通過抵抗を大きくすることなく上流側に位置する冷却媒体流路に冷却媒体を多く流すことができる。この結果、上流側に位置する冷却媒体流路と下流側に位置する冷却媒体流路とにより均等に冷却媒体を供給して、集電池をより均等に冷却することができる。
【０００８】
こうした本発明の集電池において、前記フィンは、前記冷却媒体供給流路における前記冷却媒体の流れの上流側ほど大きく形成されてなるものとすることもできる。こうすれば、より均等に冷却媒体を各冷却媒体流路に供給して、集電池をより均等に冷却することができる。
【０００９】
これら本発明の集電池において、前記冷却媒体供給流路に配置され前記配列している各冷却媒体流路に前記冷却媒体を分配する孔が複数形成された分配板を備え、前記フィンは前記分配板に形成された孔の前記冷却媒体の流れの下流側に設けられてなるものとすることもできる。こうすれば、分配板とフィンとを一体形成することができる。この態様の本発明の集電池において、前記分配板に形成された孔は前記冷却媒体の流れの上流側ほど大きく形成されてなるものとすることもできる。こうすれば、フィンと共に孔の大きさが作用するから、冷却媒体流路に冷却媒体をより均等に供給して、集電池をより均等に冷却することができる。
【００１０】
また、本発明の集電池において、前記フィンは前記電池モジュールに形成されてなるものとすることもできる。こうすれば、フィンを電池モジュールと一体形成することができる。
【００１１】
【発明の実施の形態】
次に、本発明の実施の形態を実施例を用いて説明する。図１は、本発明の一実施例である集電池２０の構成の概略を示す構成図である。図示するように、集電池２０は、複数の電池を直列に接続してなる複数の電池モジュール２２を所定の隙間２４をもって配列して構成されている。この配列した複数の電池モジュール２２の一側面（図中下側）には、冷却媒体である冷却風の隙間２４への供給通路としての冷却風供給通路２６が設けられており、冷却風供給通路２６の隙間２４の供給口近くには分配板３０が取り付けられている。複数の電池モジュール２２の冷却風供給通路２６に対峙する側面（図中上側）には、隙間２４を通った冷却風を集電池２０から排出する冷却風排出通路２８が設けられている。なお、隙間２４は、隣接する電池モジュール２２の側面に形成された図示しないリブにより形成されている。
【００１２】
図２は、分配板３０の構造の一例を示す構造図である。図示するように、分配板３０には、冷却風供給通路２６に取り付けたときに隙間２４の供給口に整合すると共に冷却風の上流側ほど開口面積が大きくなる矩形形状の開口部３２，３４，３６，３８，４０，４２，４４，４６が形成されている。これらの開口部のうち冷却風の上流側の開口部３２，３４，３６，３８には、上流側ほど大きな矩形形状のフィン３３，３５，３７，３９が冷却風供給通路２６に流れる冷却風を隙間２４に取り込むように形成されている。したがって、分配板３０は、冷却風の上流側の開口部ほど冷却風が取り込みやすい構造になっている。冷却風の取り込みやすさは、図３に例示する開口部とフィンの一例に示すように、開口部の幅ａとフィンの分配板３０からの延出幅ｂとによって定まり、フィンが形成されていない開口部では開口面積によって定まるから、各隙間２４に均等に冷却風が流れるよう開口部の幅ａおよびフィンの延出幅ｂや開口部の開口面積を実験やシミュレーションなどにより求めることができる。実施例の分配板３０は、実験により各隙間２４に冷却風が均等に流れるように開口部の幅ａおよびフィンの延出幅ｂや開口部の開口面積を求めて形成した。
【００１３】
以上説明した実施例の集電池２０によれば、分配板３０の冷却風の上流側の開口部に上流側ほど大きなフィンを形成したので、冷却風供給通路２６の上流側に位置する隙間２４にも冷却風を十分流すことができる。もとより、分配板３０に冷却風の上流側ほど開口面積が大きくなる開口部を形成したから、各隙間２４に冷却風を均等に供給して集電池２０をより均等に冷却することができる。しかも、実施例の分配板３０は実験により各隙間２４に冷却風が均等に流れるように開口部の幅ａおよびフィンの延出幅ｂや開口部の開口面積を求めて開口部やフィンを形成したから、各隙間２４に冷却風を均等に流して集電池２０を均等に冷却することができる。
【００１４】
実施例の集電池２０では、冷却風供給通路２６の上流側に位置する分配板３０の開口部にフィンを形成したが、すべての開口部にフィンを形成するものとしてもよい。
【００１５】
実施例の集電池２０では、分配板３０に各隙間２４に対して二つの開口部を形成したが、各隙間２４に対して一つの開口部のみを形成するものとしてもよく、各隙間２４に対して３以上の開口部を形成するものとしてもよい。また、実施例の集電池２０では、分配板３０の開口部を矩形形状として形成したが、三角形状や多角形状，円形状，楕円形状などとしてもよい。さらに、実施例の集電池２０では、分配板３０のフィンを矩形形状として形成したが、三角形状や多角形状，円形状，楕円形状などとしてもよい。
【００１６】
次に本発明の第２の実施例としての集電池１２０について説明する。図４は、第２実施例の集電池１２０の構成の概略を示す構成図である。図示するように、第２実施例の集電池１２０は、複数の電池を直列に接続してなる複数の電池モジュール１２２ａ〜１２２ｅを所定の隙間１２４をもって配列して構成されており、第１実施例の集電池２０と同様に、電池モジュール１２２ａ〜１２２ｅの一側面（図中下側）には冷却風を隙間１２４へ供給する冷却風供給通路１２６が設けられており、他の側面（図中上側）には隙間１２４を通った冷却風を集電池１２０から排出する冷却風排出通路１２８が設けられている。
【００１７】
電池モジュール１２２ａ〜１２２ｄの冷却風供給通路１２６に面した面の上流側の角部には、上流側に位置する電池モジュールほど大きなフィン１２３ａ〜１２３ｄが冷却風供給通路１２６に流れる冷却風を隙間１２４に取り込むように形成されている。冷却風の取り込みやすさは、この場合、フィンの延出長さによって定まるから、フィンの延出長さを実験やシミュレーションなどにより各隙間１２４に均等に冷却風が流れるように調節することができる。第２実施例の集電池１２０では、実験により各隙間１２４に冷却風が均等に流れるようにフィンの延出長さを求めて形成した。
【００１８】
以上説明した第２実施例の集電池１２０によれば、冷却風の上流側に位置する電池モジュールほど大きなフィンを電池モジュールに形成したので、冷却風供給通路１２６の上流側に位置する隙間１２４にも冷却風を十分流すことができる。この結果、集電池１２０をより均等に冷却することができる。
【００１９】
第２実施例の集電池１２０では、冷却風供給通路１２６の上流側に位置する電池モジュールにフィンを形成したが、すべての電池モジュールにフィンを形成するものとしてもよい。
【００２０】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】  本発明の一実施例である集電池２０の構成の概略を示す構成図である。
【図２】  分配板３０の構造の一例を示す構造図である。
【図３】  分配板３０に形成される開口部とフィンの一例に示す斜視図である。
【図４】  第２実施例の集電池１２０の構成の概略を示す構成図である。
【符号の説明】
２０，１２０  集電池、２２，１２２ａ〜１２２ｅ  電池モジュール、２４，１２４  隙間、２６，１２６  冷却風供給通路、２８，１２８  冷却風排出通路、３０  分配板、３２，３４，３６，３８，４０，４２，４６  開口部、３３，３５，３７，３９  フィン、１２３ａ〜１２３ｄ  フィン。
【図１】
0004423695.tif 000002
【図２】
0004423695.tif 000003
【図３】
0004423695.tif 000004
【図４】
0004423695.tif 000005